(57)【要約】【課題】  より大きな読取対象の記載内容を読み取ることができるとともに、保管スペースを削減できるスキャナ装置およびスキャナ補助装置を提供すること。【解決手段】  原稿Ｄｃまたはその周囲を押さえつけた状態で原稿Ｄｃの記載内容を２次元画像として読み取るスキャナ装置Ａ１であって、原稿Ｄｃ側から進行してきた光を通過させる光通過空間１ｂが形成されたフード１と、光通過空間１ｂを通過した光を集束させ、原稿Ｄｃの記載内容を撮像するカメラ５と、カメラ５を保持する保持部材２と、を備え、保持部材２は、保持部材２の少なくとも一部分がフード１に対し原稿Ｄｃと反対側に位置する第１の位置と、当該第１の位置よりＤｃ読取対象に近接する第２の位置とをとる。【選択図】  図２
2011109643.tif 000002
【特許請求の範囲】
【請求項１】
読取対象またはその周囲を押さえつけた状態で上記読取対象を２次元画像として読み取るスキャナ装置であって、
上記読取対象側から進行してきた光を通過させる第１光通過空間が形成された第１フードと、
上記第１光通過空間を通過した光を集束させ、上記読取対象を撮像するカメラと、
上記カメラを保持する保持部材と、を備え、
上記保持部材は、上記保持部材の少なくとも一部分が上記第１フードに対し上記読取対象と反対側に位置する第１の位置と、当該第１の位置より上記読取対象に近接する第２の位置とをとることを特徴とする、スキャナ装置。
【請求項２】
上記保持部材は、上記第１フードから着脱可能である、請求項１に記載のスキャナ装置。
【請求項３】
上記保持部材は上記第１フードに対し、上記読取対象に接近および離間する方向の少なくともいずれかに向かい相対移動可能である、請求項１または２に記載のスキャナ装置。
【請求項４】
上記保持部材は、上記第１光通過空間を通過した光を通過させる第２光通過空間が形成された第２フードを含み、
上記第１フードには、上記第２フードがはめ込まれた第１の孔が形成されている、請求項１ないし３のいずれかに記載のスキャナ装置。
【請求項５】
上記第２フードは、上記第１の孔の縁と係合し、且つ、上記読取対象に接近および離間する方向における上記保持部材の移動を係止する１または複数の第２フード係止部を有する、請求項４に記載のスキャナ装置。
【請求項６】
上記第２フード係止部は、上記第１の孔の縁が入り込むくびれである、請求項５に記載のスキャナ装置。
【請求項７】
上記くびれは、上記第１の孔の縁の全周が入り込む形状である、請求項６に記載のスキャナ装置。
【請求項８】
上記第２フードの複数の係止状態における読取範囲がそれぞれ、複数の所定の規格サイズに各別に一致する、請求項５ないし７のいずれかに記載のスキャナ装置。
【請求項９】
上記カメラは、
互いに直角な第１および第２方向に沿ってそれぞれ所定の配列ピッチでマトリクス状に配置された複数の受光領域が形成された受光面を有する撮像素子と、
上記読取対象側から進行してきた光を上記受光面に結像させる光学系と、
を含む、請求項１ないし８のいずれかに記載のスキャナ装置。
【請求項１０】
上記第１方向および上記第２方向のいずれにも直角な第３方向における上記カメラとの距離が、上記第１方向において上記読取対象側に向かうほど大きく、且つ、上記第２方向において一定である反射面を有する反射部材をさらに備える、請求項９に記載のスキャナ装置。
【請求項１１】
上記読取対象側から進行してくる光を通過させる第３光通過空間が形成され、且つ、上記第１フードがはめ込まれた第３の孔を有する第３フードをさらに備える、請求項１ないし１０のいずれかに記載のスキャナ装置。
【請求項１２】
上記第１フードは、上記第３の孔の縁と係合し、且つ、上記読取対象に接近および離間する方向における上記第１フードの移動を係止する第１フード係止部を有する、請求項１１に記載のスキャナ装置。
【請求項１３】
上記保持部材は、上記第１フードに収容可能な大きさである、請求項２ないし８のいずれかに記載のスキャナ装置。
【請求項１４】
上記第１フードは、上記読取対象側に開口する開口部を有し、
上記開口部を塞ぐ透明板と、
上記第１フードに設けられた取手と、をさらに備え、
上記保持部材が上記第１フードに収容された状態で持ち運び可能である、請求項１３に記載のスキャナ装置。
【請求項１５】
上記第１フードに設けられ、且つ、上記読取対象に光を照射する照射シート、をさらに備える、請求項１ないし１４のいずれかに記載のスキャナ装置。
【請求項１６】
読取対象またはその周囲を押さえつけた状態で上記読取対象を２次元画像として読み取る際に用いるスキャナ補助装置であって、
上記読取対象側から進行してきた光を通過させる光通過空間が形成されたフードと、
上記光通過空間を通過した光を集束させる光学系と、
上記光学系を保持する保持部材と、を備え、
上記保持部材は、上記保持部材の少なくとも一部分が上記第１フードに対し上記読取対象と反対側に位置する第１の位置と、当該第１の位置より上記読取対象に近接する第２の位置とをとり、
上記光学系により集束された光をカメラのレンズ部分に進行させる状態で用いることを特徴とする、スキャナ補助装置。
【請求項１７】
読取対象またはその周囲を押さえつけた状態で上記読取対象を２次元画像として読み取るスキャナ装置であって、
上記読取対象側から進行してきた光を通過させる光通過空間が形成されたフードと、
上記光通過空間を通過した光を集束させ、上記読取対象を撮像するカメラと、
を備えることを特徴とする、スキャナ装置。
【請求項１８】
上記フードは、光を拡散させつつ透過させる材質からなる、請求項１７に記載のスキャナ装置。
【請求項１９】
上記フードに設けられ、且つ、上記読取対象に光を照射する照射シートを備える、請求項１７に記載のスキャナ装置。
【請求項２０】
上記フードに設けられた導光体、およびこの導光体に光を入射させる光源を備える、請求項１７に記載のスキャナ装置。
【請求項２１】
上記導光体は、上記フードの外側に設けられている、請求項２０に記載のスキャナ装置。
【請求項２２】
上記導光体は、上記フードの内側に設けられている、請求項２０に記載のスキャナ装置。
【請求項２３】
請求項１７ないし２２のいずれかに記載のスキャナ装置と、
上記スキャナ装置を収容し、かつ上記読取対象からの光を上記スキャナ装置に到達させる開口を有する筺体と、
上記スキャナ装置を上記読取対象に沿った第１方向、およびこの第１方向と交差する方向である第２方向に移動させる駆動機構と、
上記第１および第２方向において互いに異なる複数の位置において上記スキャナ装置によって撮影された複数の画像から一の上記読取対象の画像を生成する制御手段と、
を備えることを特徴とする、スキャナシステム。
【請求項２４】
上記筺体は、上記開口を囲んでおり、かつ上記スキャナ装置側の面に区画マークが記された枠体を有している、請求項２３に記載のスキャナシステム。
【請求項２５】
上記筐体には、上記読取対象を押さえる蓋が設けられており、
上記蓋のうち上記スキャナ装置に対面する部位には、区画マークが記されている、請求項２３に記載のスキャナシステム。
【請求項２６】
上記筺体は、上記開口を囲む枠体を有しており、
上記枠体には、上記スキャナ装置に上記区画マークを臨ませる窓部が形成されている、請求項２５に記載のスキャナシステム。
【請求項２７】
上記制御手段は、上記複数の画像のうち、同一の上記区画マークが写っているもの同士を、この区画マークが一致するように合成する、請求項２４ないし２６のいずれかに記載のスキャナシステム。
【請求項２８】
請求項１７ないし２２のいずれかに記載のスキャナ装置と、
上記読取対象を押さえ、かつ上記読取対象からの光を上記スキャナ装置に到達させる開口を有する枠体と、
を備えることを特徴とする、スキャナシステム。
【請求項２９】
上記枠体には、上記スキャナ装置の外側面と接することにより上記スキャナ装置の位置を規定する内側面を有する位置決め開口が形成されている、請求項２８に記載のスキャナシステム。
【請求項３０】
上記読取対象に沿った第１方向、およびこの第１方向と交差する方向である第２方向における互いに異なる複数の位置において撮影された上記スキャナ装置の複数の画像から、一の上記読取対象の画像を生成する制御手段を備える、請求項２８または２９に記載のスキャナシステム。
【請求項３１】
上記制御手段は、上記スキャナ装置に接続されたパーソナルコンピュータである、請求項３０に記載のスキャナシステム。
【請求項３２】
上記枠体の上記スキャナ装置側の面には、区画マークが記されている、請求項３０または３１に記載のスキャナシステム。
【請求項３３】
上記制御手段は、上記複数の画像のうち、同一の上記区画マークが写っているもの同士を、この区画マークが一致するように合成する、請求項３２に記載のスキャナシステム。
【発明の詳細な説明】
【技術分野】
【０００１】
本発明は、スキャナ装置、スキャナ補助装置、およびスキャナシステムに関する。
【背景技術】
【０００２】
原稿などに記載された内容を画像データとして読み取るためのスキャナ装置としては、たとえば２次元エリアセンサを備えたカメラモジュールを用いて構成されたものがある。このようなスキャナ装置は、たとえば原稿読取面に載置された原稿の画像を光学レンズ系によって２次元エリアセンサ上に結像させ、この２次元エリアセンサによって２次元画像データを取得するように構成されている（たとえば、特許文献１を参照）。
【０００３】
特許文献１においては、光学レンズ系として画角が大きい広角レンズあるいは超広角レンズを採用したスキャナ装置が示されている。このような広角レンズ等を用いれば、比較的に大きいサイズの原稿を読み取る場合においても、レンズから原稿読取面までの距離を短くすることができ、スキャナ装置の薄型化を図ることができる。
【０００４】
近年、このようなスキャナ装置をさらに大きな原稿を読み取る用途に用いたいといった要望がある。さらに大きな原稿を読み取る場合には、スキャナ装置の高さ（厚さ）を大きくすることが考えられる。しかしながらスキャナ装置を厚くすることは、スキャナ装置を使用しないときの保管スペースが大きくなるため好ましくない。一方、さらに大きな原稿を読み取るために、スキャナ装置を厚くせず、レンズの画角をより大きくすることも考えられる。しかしながらレンズの画角を大きくすることは、撮像される画像の歪みが大きくなるため好ましくない。
【０００５】
原稿などに記載された内容を画像データとして読み取るためのスキャナシステムとしては、ラインイメージセンサを備えたいわゆるフラットベッド型と称されるものが広く用いられている（たとえば特許文献２参照）。このようなスキャナシステムにおいては、原稿の１ラインが、ラインイメージセンサによって撮影されることにより、主走査方向に沿って１列に並ぶ複数の画素データとして取り込まれる。原稿は通常平面状に広がっているため、原稿のすべての領域を読み取るには、ラインイメージセンサによって数百もしくは数千回におよぶ撮影を行う必要がある。しかも、各撮影の間には、ラインイメージセンサを副走査方向に１ライン分移動させる処理と、ラインイメージセンサからスキャナシステムに備えられた制御手段に画素データを転送する処理とを行う必要がある。これらの処理が誤ったタイミングで行われないように、これらの処理の合間には、待ち時間を設定せざるを得ない。この待ち時間が数百もしくは数千回発生するため、原稿のすべてを読み取るには、相当な時間が費やされていた。
【先行技術文献】
【特許文献】
【０００６】
【特許文献１】特開２００７−２３５９０２号公報
【特許文献１】特開２００３−１２５１７６号公報
【発明の概要】
【発明が解決しようとする課題】
【０００７】
本発明は、上記した事情のもとで考え出されたものであって、より大きな読取対象の記載内容を読み取ることができるとともに、保管スペースを削減できるスキャナ装置およびスキャナ補助装置を提供することをその主たる課題とする。また、読取に要する時間を短縮することが可能なスキャナシステムを提供することを他の課題とする。
【課題を解決するための手段】
【０００８】
本発明の第１の側面によって提供されるスキャナ装置は、読取対象またはその周囲を押さえつけた状態で上記読取対象を２次元画像として読み取るスキャナ装置であって、上記読取対象側から進行してきた光を通過させる第１光通過空間が形成された第１フードと、上記第１光通過空間を通過した光を集束させ、上記読取対象を撮像するカメラと、上記カメラを保持する保持部材と、を備え、上記保持部材は、上記保持部材の少なくとも一部分が上記第１フードに対し上記読取対象と反対側に位置する第１の位置と、当該第１の位置より上記読取対象に近接する第２の位置とをとることを特徴としている。
【０００９】
このような構成によれば、上記保持部材を上記第１の位置に位置させると、上記第２の位置に上記保持部材が位置している場合と比べ上記カメラと上記読取対象との距離が大きくなる。そのため、上記スキャナ装置が読み取ることのできる読取対象を大きくすることができる。一方、上記保持部材を上記第２の位置に位置させることにより、上記保持部材が上記第１の位置に位置している場合と比べ、上記スキャナ装置の厚みは小さくなる。上記スキャナ装置の厚みを小さくできると、上記スキャナ装置の保管スペースを削減できる。したがって、このようなスキャナ装置によれば、より大きな読取対象の記載内容を読み取ることができ、かつ、保管スペースを削減できる。
【００１０】
本発明の好ましい実施の形態においては、上記保持部材は、上記第１フードから着脱可能である。このような構成によれば、上記保持部材を上記第１フードから取り外すことにより、上記保持部材と上記第１フードとを別々にして保管できる。これにより、上記スキャナ装置の保管スペースを削減できる。
【００１１】
本発明の好ましい実施の形態においては、上記保持部材は上記第１フードに対し、上記読取対象に接近および離間する方向の少なくともいずれかに向かい相対移動可能である。
【００１２】
本発明の好ましい実施の形態においては、上記保持部材は、上記第１光通過空間を通過した光を通過させる第２光通過空間が形成された第２フードを含み、上記第１フードには、上記第２フードがはめ込まれた第１の孔が形成されている。
【００１３】
本発明の好ましい実施の形態においては、上記第２フードは、上記第１の孔の縁と係合し、且つ、上記読取対象に接近および離間する方向における上記保持部材の移動を係止する１または複数の第２フード係止部を有する。
【００１４】
本発明の好ましい実施の形態においては、上記第２フード係止部は、上記第１の孔の縁が入り込むくびれである。
【００１５】
本発明の好ましい実施の形態においては、上記くびれは、上記第１の孔の縁の全周が入り込む形状である。
【００１６】
本発明の好ましい実施の形態においては、上記第２フードの複数の係止状態における読取範囲がそれぞれ、複数の所定の規格サイズに各別に一致する。
【００１７】
本発明の好ましい実施の形態においては、上記カメラは、互いに直角な第１および第２方向に沿ってそれぞれ所定の配列ピッチでマトリクス状に配置された複数の受光領域が形成された受光面を有する撮像素子と、上記読取対象側から進行してきた光を上記受光面に結像させる光学系と、を含む。
【００１８】
本発明の好ましい実施の形態においては、上記第１方向および上記第２方向のいずれにも直角な第３方向における上記カメラとの距離が、上記第１方向において上記読取対象側に向かうほど大きく、且つ、上記第２方向において一定である反射面を有する反射部材をさらに備える。
【００１９】
本発明の好ましい実施の形態においては、上記読取対象側から進行してくる光を通過させる第３光通過空間が形成され、且つ、上記第１フードがはめ込まれた第３の孔を有する第３フードをさらに備える。
【００２０】
本発明の好ましい実施の形態においては、上記第１フードは、上記第３の孔の縁と係合し、且つ、上記読取対象に接近および離間する方向における上記第１フードの移動を係止する第１フード係止部を有する。
【００２１】
本発明の好ましい実施の形態においては、上記保持部材は、上記第１フードに収容可能な大きさである。
【００２２】
本発明の好ましい実施の形態においては、上記第１フードは、上記読取対象側に開口する開口部を有し、上記開口部を塞ぐ透明板と、上記第１フードに設けられた取手と、をさらに備え、上記保持部材が上記第１フードに収容された状態で持ち運び可能である。
【００２３】
本発明の好ましい実施の形態においては、上記第１フードに設けられ、且つ、上記読取対象に光を照射する照射シート、をさらに備える。
【００２４】
本発明の第２の側面によって提供されるスキャナ補助装置は、読取対象またはその周囲を押さえつけた状態で上記読取対象を２次元画像として読み取る際に用いるスキャナ補助装置であって、上記読取対象側から進行してきた光を通過させる光通過空間が形成されたフードと、上記光通過空間を通過した光を集束させる光学系と、上記光学系を保持する保持部材と、を備え、上記保持部材は、上記保持部材の少なくとも一部分が上記第１フードに対し上記読取対象と反対側に位置する第１の位置と、当該第１の位置より上記読取対象に近接する第２の位置とをとり、上記光学系により集束された光をカメラのレンズ部分に進行させる状態で用いることを特徴としている。
【００２５】
本発明の第３の側面によって提供されるスキャナ装置は、読取対象またはその周囲を押さえつけた状態で上記読取対象を２次元画像として読み取るスキャナ装置であって、上記読取対象側から進行してきた光を通過させる光通過空間が形成されたフードと、上記光通過空間を通過した光を集束させ、上記読取対象を撮像するカメラと、を備えることを特徴としている。
【００２６】
本発明の好ましい実施の形態においては、上記フードは、光を拡散させつつ透過させる材質からなる。
【００２７】
本発明の好ましい実施の形態においては、上記フードに設けられ、且つ、上記読取対象に光を照射する照射シートを備える。
【００２８】
本発明の好ましい実施の形態においては、上記フードに設けられた導光体、およびこの導光体に光を入射させる光源を備える。
【００２９】
本発明の好ましい実施の形態においては、上記導光体は、上記フードの外側に設けられている。
【００３０】
本発明の好ましい実施の形態においては、上記導光体は、上記フードの内側に設けられている。
【００３１】
本発明の第４の側面によって提供されるスキャナシステムは、本発明の第３の側面によって提供されるスキャナ装置と、上記スキャナ装置を収容し、かつ上記読取対象からの光を上記スキャナ装置に到達させる開口を有する筺体と、上記スキャナ装置を上記読取対象に沿った第１方向、およびこの第１方向と交差する方向である第２方向に移動させる駆動機構と、上記第１および第２方向において互いに異なる複数の位置において上記スキャナ装置によって撮影された複数の画像から一の上記読取対象の画像を生成する制御手段と、を備えることを特徴としている。
【００３２】
本発明の好ましい実施の形態においては、上記筺体は、上記開口を囲んでおり、かつ上記スキャナ装置側の面に区画マークが記された枠体を有している。
【００３３】
本発明の好ましい実施の形態においては、上記筐体には、上記読取対象を押さえる蓋が設けられており、上記蓋のうち上記スキャナ装置に対面する部位には、区画マークが記されている。
【００３４】
本発明の好ましい実施の形態においては、上記筺体は、上記開口を囲む枠体を有しており、上記枠体には、上記スキャナ装置に上記区画マークを臨ませる窓部が形成されている。
【００３５】
本発明の好ましい実施の形態においては、上記制御手段は、上記複数の画像のうち、同一の上記区画マークが写っているもの同士を、この区画マークが一致するように合成する。
【００３６】
本発明の第５の側面によって提供されるスキャナシステムは、本発明の第３の側面によって提供されるスキャナ装置と、上記読取対象を押さえ、かつ上記読取対象からの光を上記スキャナ装置に到達させる開口を有する枠体と、を備えることを特徴としている。
【００３７】
本発明の好ましい実施の形態においては、上記枠体には、上記スキャナ装置の外側面と接することにより上記スキャナ装置の位置を規定する内側面を有する位置決め開口が形成されている。
【００３８】
本発明の好ましい実施の形態においては、上記読取対象に沿った第１方向、およびこの第１方向と交差する方向である第２方向における互いに異なる複数の位置において撮影された上記スキャナ装置の複数の画像から、一の上記読取対象の画像を生成する制御手段を備える。
【００３９】
本発明の好ましい実施の形態においては、上記制御手段は、上記スキャナ装置に接続されたパーソナルコンピュータである。
【００４０】
本発明の好ましい実施の形態においては、上記枠体の上記スキャナ装置側の面には、区画マークが記されている。
【００４１】
本発明の好ましい実施の形態においては、上記制御手段は、上記複数の画像のうち、同一の上記区画マークが写っているもの同士を、この区画マークが一致するように合成する。
【００４２】
本発明のその他の特徴および利点は、添付図面を参照して以下に行う詳細な説明によって、より明らかとなろう。
【図面の簡単な説明】
【００４３】
【図１】本発明の第１実施形態にかかるスキャナ装置の斜視図である。
【図２】図１のＩＩ−ＩＩ線に沿う断面図である。
【図３】図２に示すスキャナ装置の要部拡大図である。
【図４】第１実施形態にかかるスキャナ装置に用いられる撮像素子を模式的に示す斜視図および要部拡大図である。
【図５】図２に示すスキャナ装置の要部拡大図である。
【図６】本発明の第１実施形態にかかるスキャナ装置の使用状態の一例を示す図である。
【図７】本発明の第１実施形態にかかるスキャナ装置の使用状態の一例を示す図である。
【図８】本発明の第１実施形態にかかるスキャナ装置の使用状態の一例を示す図である。
【図９】本発明の第１実施形態にかかるスキャナ装置の使用状態の一例を示す図である。
【図１０】本発明の第１実施形態にかかるスキャナ装置の収納状態の一例を示す図である。
【図１１】本発明の第２実施形態にかかるスキャナ装置の要部断面図である。
【図１２】図１１のＸＩＩ−ＸＩＩ線に沿う要部矢視図である。
【図１３】本発明の第２実施形態のスキャナ装置における原稿の読取範囲について示す図である。
【図１４】本発明の第２実施形態のスキャナ装置における撮像素子の要部平面図である。
【図１５】図１４の要部拡大図である。
【図１６】本発明の第３実施形態にかかるスキャナ装置の要部断面図である。
【図１７】本発明の第４実施形態にかかるスキャナ装置の断面図である。
【図１８】本発明の第４実施形態にかかるスキャナ装置の使用状態の一例を示す図である。
【図１９】本発明の第４実施形態にかかるスキャナ装置の収納状態の一例を示す図である。
【図２０】本発明の第５実施形態にかかるスキャナ装置の断面図である。
【図２１】本発明の第６実施形態にかかるスキャナ装置の断面図である。
【図２２】本発明の第７実施形態にかかるスキャナ装置の断面図である。
【図２３】本発明の第８実施形態にかかるスキャナ装置の平面図である。
【図２４】本発明の第９実施形態にかかるスキャナ装置の断面図である。
【図２５】本発明の第１０実施形態にかかるスキャナ装置の断面図である。
【図２６】本発明の第１１実施形態にかかるスキャナ装置の断面図である。
【図２７】本発明の第１１実施形態にかかるスキャナ装置における撮像素子により撮像された原稿のサンプルの画像である。
【図２８】補正回路により歪み補正がされた画像である。
【図２９】本発明の第１２実施形態にかかるスキャナ装置の断面図である。
【図３０】本発明の第１２実施形態にかかるスキャナ装置をカバンとして用いる例を示す斜視図である。
【図３１】本発明の第１３実施形態にかかるスキャナ装置の断面図である。
【図３２】本発明にかかるスキャナ補助装置の一実施形態の断面図である。
【図３３】本発明にかかるスキャナ装置の他の実施形態を示す斜視図である。
【図３４】図３３のＸＸＸＩＶ−ＸＸＸＩＶ線に沿う断面図である。
【図３５】図３４に示すスキャナ装置に用いられる撮像素子を模式的に示す斜視図および要部拡大図である。
【図３６】図３４に示すスキャナ装置に用いられる広角レンズを示す縦断面図である。
【図３７】本発明に係るスキャナシステムの一例を示す斜視図である。
【図３８】図３７のＸＸＸＶＩＩＩ−ＸＸＸＶＩＩＩ線に沿う断面図である。
【図３９】図３７のスキャナシステムに原稿が置かれた状態を示す要部平面図である。
【図４０】図３７のスキャナシステムによる画像合成処理を説明するための図である。
【図４１】本発明に係るスキャナシステムの変形例を示す斜視図である。
【図４２】本発明に係るスキャナシステムの他の例を示す斜視図である。
【図４３】図４２のＸＬＩＩ−ＸＬＩＩ線に沿う断面図である。
【発明を実施するための形態】
【００４４】
以下、本発明の実施の形態につき、図面を参照して具体的に説明する。
【００４５】
図１〜図９を用いて、本発明の第１実施形態について説明する。図１は、本実施形態にかかるスキャナ装置の斜視図である。図２は、図１のＩＩ−ＩＩ線に沿う断面図である。これらの図に示すスキャナ装置Ａ１は、読取対象である原稿Ｄｃもしくは原稿Ｄｃの周囲を押さえつけた状態で、原稿Ｄｃの記載内容を２次元画像のデータとして読み取るためのものである。
【００４６】
スキャナ装置Ａ１は、フード１、保持部材２、基板４、カメラ５、図示しない透明板、制御ＩＣ７１、およびメモリチップ７２を備える。
【００４７】
フード１は、原稿Ｄｃを押さえつけることによって原稿Ｄｃの読取部分を覆って外部と区切るためのものである。フード１は、原稿Ｄｃ側に矩形状の開口端１ａを有する箱状である。より具体的には、フード１は、上板１１と、傾斜板１２と、側板１３とを備える。上板１１の中央には、矩形状の孔１１ａが形成されている。傾斜板１２は、上板１１に対し傾斜し、且つ、上板１１につながる。側板１３は傾斜板１２につながり、その端が開口端１ａとなっている。フード１は、たとえばアクリル系、エポキシ系、ポリカーボネート系の白色の半透明樹脂からなる。そのため、フード１は、外光を透過させるとともに散乱させ得る。
【００４８】
フード１には、上板１１と傾斜板１２と側板１３とに囲まれた光通過空間１ｂが形成されている。原稿Ｄｃ側から進行してきた光は、光通過空間１ｂを通過し、孔１１ａに向かい進行する。
【００４９】
保持部材２は、基端部２１と、フード２２とを備える。保持部材２は、フード１に対し図２の上下方向に移動可能に、フード１に支持されている。
【００５０】
基端部２１は、原稿Ｄｃ側に開口する箱状である。基端部２１は、たとえば遮光性に優れた黒色の樹脂からなる。フード２２は、フード１と同様に、原稿Ｄｃ側に矩形状の開口端２２ａを有する箱状である。フード２２は、基端部２１を支持している。またフード２２は、孔１１ａにはめ込まれ、フード１に対し図２の上下方向に移動可能に、フード１に支持されている。これにより、保持部材２がフード１に対し、図２の上下方向に移動可能となっている。
【００５１】
フード２２は、上板２２１と、傾斜板２２２と、側板２２３とを備える。上板２２１の中央には、円形状の孔２２１ａが形成されている。傾斜板２２２は、上板２２１に対し傾斜し、且つ、上板２２１につながる。側板２２３は、傾斜板２２２につながり、その端が開口端２２ａとなっている。側板２２３は、くびれ２２ｃ，２２ｄ，２２ｅを有する。図３には、くびれ２２ｄ近傍の要部拡大図を示している。くびれ２２ｃ，２２ｄ，２２ｅは、孔１１ａの縁１１ａ’と係合することにより、図２の上下方向において移動しているフード２２を係止する。また、くびれ２２ｃ，２２ｄ，２２ｅはそれぞれ、側板２２３の周囲を囲むように形成されている。すなわち、くびれ２２ｃ，２２ｄ，２２ｅは、孔１１ａの縁１１ａ’の全周が入り込む形状である。フード２２は、たとえばアクリル系、エポキシ系、ポリカーボネート系の白色の半透明樹脂からなる。そのため、フード２２は、外光を透過させるとともに散乱させうる。本発明の係止部としては、本実施形態に示すくびれであってもよいし、フード２２に形成された凸部であってもよい。
【００５２】
フード２２には、上板２２１と傾斜板２２２と側板２２３とに囲まれた光通過空間２２ｂが形成されている。光通過空間１ｂを通過してきた光は、光通過空間２２ｂを通過し、孔２２１ａに向かい進行する。
【００５３】
基板４は、たとえば長矩形状のプリント配線基板である。基板４は、たとえば銅からなる金属配線層と樹脂層とが積層された構造を有する。基板４は、基端部２１に搭載されている。
【００５４】
カメラ５は、基板４に搭載されている。これにより、カメラ５は、基端部２１に収容され、基板４を介して、保持部材２に保持されている。図５に示すように、カメラ５は、撮像素子５１と、光学系５２と、ホルダ５３とを備える。
【００５５】
撮像素子５１は、たとえばＣＣＤ型もしくはＣＭＯＳ型のカメラ素子と呼ばれるものである。図４および図５に示すように、撮像素子５１は矩形状の受光面５１１を有する。受光面５１１大きさは、たとえば、縦が３．６ｍｍであり、横が約２．７ｍｍである。受光面５１１には、複数の矩形状の単位受光領域５１２がマトリクス状に配置されている。各単位受光領域５１２は、受けた光の光量に応じた起電力を生じさせる、いわゆる光電変換機能を発揮する領域である。単位受光領域５１２の配列ピッチは、たとえば約２μｍである。本実施形態においては、受光面５１１には、１６００×１２００個の単位受光領域５１２が配置されている。これにより、撮像素子５１は、Ｌ版サイズの原稿Ｄｃを３２０ＤＰＩの解像度で読取できる。受光面５１１が光を受けると、各単位受光領域５１２ごとの受光量に対応した出力レベルの画像信号が撮像素子５１から出力される。
【００５６】
光学系５２は、原稿Ｄｃから向かってきた光を撮像素子５１の受光面５１１に結像させる。本実施形態において光学系５２は、いわゆる広角レンズである。図５に示すように、光学系５２は、物体側レンズ５２１、収束レンズ５２２、および結像面側レンズ群５２３を備える。物体側レンズ５２１、収束レンズ５２２、および結像面側レンズ群５２３は、それぞれのレンズ中心が一致するように、ホルダ５３に保持されている。
【００５７】
物体側レンズ５２１は、凹レンズである。物体側レンズ５２１は、物体側の入射面５２１ａと、結像面側の出射面５２１ｂとを備える。入射面５２１ａは、凸の非球面である。入射面５２１ａは、物体側レンズ５２１のレンズ中心付近から遠ざかるにつれて曲率半径が小さくなる形状である。出射面５２１ｂは、凹球面である領域をもつ。本実施形態においては、出射面５２１ｂの全体が凹球面である。出射面５２１ｂは正確な凹球面であることが望ましい。だが、出射面５２１ｂに、たとえば色消しのための樹脂層がコーティングされていてもよい。また、出射面５２１ｂに、各種収差を補正するためのわずかな変更を加えてもよい。
【００５８】
収束レンズ５２２は、凸レンズである。収束レンズ５２２は、物体側レンズ５２１から進行してくる光を、平行光ないしは略平行光として、結像面側レンズ群５２３へと入射させる。
【００５９】
結像面側レンズ群５２３は、それ自体で収差が少なく物体像を結像面に結像できるものが採用される。結像面側レンズ群５２３は、本実施形態の場合、非球面凸レンズ５２３ａと非球面凹レンズ５２３ｂとを含む。なお、結像面側レンズ群５２３と撮像素子５１との間に赤外線フィルタ５４を設けてもよい。この場合、撮像素子５１に赤外線が入射することを防止できる。
【００６０】
本実施形態における光学系５２によると、物体側レンズ５２１の入射面５２１ａを上記のように凸の非球面としたことによって比較的に広角でありながら像歪みが少なくなっている。光学系５２の画角はたとえば１００°程度であり、像歪みが±３％以内である。なお、光学系５２の画角をより大きくするために、物体側レンズ５２１を複数のレンズからなる物体側レンズ群としてもよい。
【００６１】
図示しない透明板は、フード１の開口端１ａから光学系５２側に少し入り込んだ位置に設けられている。透過板は、たとえば透明樹脂製からなる。透明板は、光学系５２を保護する機能を果たす。透明板はさらに、たとえば原稿Ｄｃのうねりや反りが大きい場合には、原稿Ｄｃをほぼ平らな状態に押さえる機能も果たす。
【００６２】
制御ＩＣ７１は、演算処理回路が作り込まれた半導体チップである。制御ＩＣ７１は、撮像素子５１の駆動を制御したり、メモリチップ７２へのデータを転送したり、スキャナ装置Ａ１の外部とのデータを送受する。メモリチップ７２は、たとえばフラッシュメモリである。メモリチップ７２は、制御ＩＣ７１の駆動制御によって得られた画像データを記憶する。
【００６３】
次に図６〜図９を用いて、スキャナ装置Ａ１の使用方法について説明する。
【００６４】
以下では、４種類の大きさの異なる原稿Ｄｃ１，Ｄｃ２，Ｄｃ３，Ｄｃ４の記載内容の読取方法について述べる。これらの原稿Ｄｃ１，Ｄｃ２，Ｄｃ３，Ｄｃ４の大きさは、原稿Ｄｃ１が最も小さく、原稿Ｄｃ１，Ｄｃ２，Ｄｃ３，Ｄｃ４の順に大きくなっている。原稿Ｄｃ１，Ｄｃ２，Ｄｃ３，Ｄｃ４はたとえば、それぞれ、規格サイズの原稿である。具体例をあげると、原稿Ｄｃ１はＬ版、原稿Ｄｃ２はＡ５版、原稿Ｄｃ３はＢ５版、原稿Ｄｃ４はＡ４版の原稿である。
【００６５】
まず図６を用いて、最小サイズの原稿Ｄｃ１の記載内容を読み取る方法について説明する。同図に示すように、原稿Ｄｃ１の記載内容を読み取る際には保持部材２のみを用いる。フード２２の開口端２２ａが原稿Ｄｃ１の周囲を押さえつけた状態で、原稿Ｄｃ１の記載内容を読み取る。保持部材２の読取範囲Ｒ１は、原稿Ｄｃ１のサイズにほぼ一致する。
【００６６】
次に、図７〜図９を用いて、原稿Ｄｃ１より大きい原稿Ｄｃ２，Ｄｃ３，Ｄｃ４の記載内容を読み取る方法について説明する。これらの図に示すように、原稿Ｄｃ２，Ｄｃ３，Ｄｃ４の記載内容を読み取る際には、保持部材２がフード１にはめ込まれたスキャナ装置Ａ１を用いる。
【００６７】
図７に示すように、原稿Ｄｃ２の記載内容を読み取る際には、フード２２のくびれ２２ｃに縁１１ａ’が入り込むように、保持部材２をフード１の孔１１ａにはめ込む。そしてフード１の開口端１ａが原稿Ｄｃ２の周囲を押さえつけた状態で、原稿Ｄｃ２の記載内容を読み取る。同図に示すスキャナ装置Ａ１の読取範囲Ｒ２は、原稿Ｄｃ２のサイズにほぼ一致する。
【００６８】
図８に示すように、原稿Ｄｃ２より大きい原稿Ｄｃ３の記載内容を読み取る際には、保持部材２を原稿Ｄｃ３と離間する方向にスライドさせる。フード２２のくびれ２２ｄが縁１１ａ’に入り込むと、スライドしている保持部材２が係止される。そしてフード１の開口端１ａが原稿Ｄｃ３の周囲を押さえつけた状態で、原稿Ｄｃ３の記載内容を読み取る。同図に示すスキャナ装置Ａ１の読取範囲Ｒ３は、原稿Ｄｃ３のサイズにほぼ一致する。
【００６９】
図９に示すように、最大サイズの原稿Ｄｃ４の記載内容を読み取る際には、保持部材２を原稿Ｄｃ４と離間する方向にさらにスライドさせる。フード２２のくびれ２２ｅが孔１１ａの縁１１ａ’に入り込むと、スライドしている保持部材２が係止される。そしてフード１の開口端１ａが原稿Ｄｃ４の周囲を押さえつけた状態で、原稿Ｄｃ４の記載内容を読み取る。同図に示すスキャナ装置Ａ１の読取範囲Ｒ４は、原稿Ｄｃ４のサイズにほぼ一致する。
【００７０】
このようにして、スキャナ装置Ａ１を使用する。
【００７１】
次に、スキャナ装置Ａ１の作用について説明する。
【００７２】
スキャナ装置Ａ１においては、図７〜図９に示したように、保持部材２をフード１に対しスライドさせることができる。図９に示した位置に保持部材２をスライドさせることにより、比較的大きいサイズの原稿Ｄｃ４の記載内容を読み取ることができる。一方、図９に示した位置から図７に示した位置に保持部材２をスライドさせることにより、フード１からの保持部材２の突出高さを小さくすることができる。そのため図７に示したスキャナ装置Ａ１の厚さを、図９に示したスキャナ装置Ａ１の厚さより小さくすることができる。スキャナ装置Ａ１の厚さを小さくできると、スキャナ装置Ａ１の保管スペースを削減できる。このように、スキャナ装置Ａ１によると、比較的大きな原稿Ｄｃ４の記載内容を読み取ることができるとともに、保管スペースを削減できる。
【００７３】
また本実施形態においては、保持部材２はフード１から取り外すことができる。そのため、スキャナ装置Ａ１を使用しない場合には、保持部材２とフード１とを別々にして保管できる。保持部材２とフード１とを別々に保管することにより、保持部材２がフード１の孔１１ａにはめ込まれた状態でスキャナ装置Ａ１を保管する場合よりも、保管スペースを削減できる。また図１０に示すように、フード１に保持部材２を収容して、スキャナ装置Ａ１を保管するとよい。
【００７４】
図６に示したように、保持部材２のみを用いても、スキャナ装置Ａ１を用いて原稿Ｄｃの記載内容を読み取るのと同様に、比較的小さな原稿Ｄｃ１の記載内容を読み取ることができる。保持部材２のみを用いて原稿Ｄｃ１の記載内容を読み取る場合には、原稿Ｄｃ１の大きさに読取範囲Ｒ１が近づく。原稿Ｄｃ１の大きさに読取範囲Ｒ１を近づけることができると、撮像素子５１の単位受光領域５１２のうち、より多くの単位受光領域５１２に原稿Ｄｃ１からの光を入射させることができる。そのため、原稿Ｄｃ１をより高画素で撮像することができる。このように、スキャナ装置Ａ１によると、異なる大きさの原稿Ｄｃをより高画素で撮像することができる。
【００７５】
フード２２には、孔１１ａの縁１１ａ’と係合するくびれ２２ｃ，２２ｄ，２２ｅが形成されている。そのため、フード１に対する保持部材２の位置決めが容易になる。フード１に対する保持部材２の位置決めが容易になると、スキャナ装置Ａ１の読取範囲を、原稿Ｄｃの種類に応じたものに容易に切り替えることができる。
【００７６】
くびれ２２ｃ，２２ｄ，２２ｅは、孔１１ａの縁１１ａ’の全周が入り込む形状となっている。そのため、各くびれ２２ｃ，２２ｄ，２２ｅと縁１１ａ’との間を光が通りにくい。これにより、フード１の外部から光通過空間１ｂへの意図しない光の進入を抑制することができる。
【００７７】
以下に、本発明の他の実施形態について説明する。なお、これらの図において、上記実施形態と同一または類似の要素には上記実施形態と同一の符号を付しており、適宜説明を省略する。
【００７８】
図１１〜図１５を用いて本発明の第２実施形態について説明する。図１１は、本実施形態にかかるスキャナ装置の要部断面図である。第１実施形態にかかる光学系５２は図５に示した通りであった。本実施形態にかかるスキャナ装置Ａ２は、光学系５２が反射部材５２６を備える点において、第１実施形態にかかるスキャナ装置Ａ１と異なる。スキャナ装置Ａ２の構成は、カメラ５を除き、第１実施形態にかかるスキャナ装置Ａ１の構成と同様である。
【００７９】
本実施形態において基板４は、基端部２１の側壁部分に搭載されている。カメラ５は、撮像素子５１と、光学系５２と、ホルダ５３とを備える。
【００８０】
図１２は、図１１のＸＩＩ―ＸＩＩ線に沿う要部矢視図である。図１３は、本実施形態のスキャナ装置における原稿Ｄｃの読取範囲について示す図である。図１４は、撮像素子５１の要部平面図である。図１５は、図１４の要部拡大図である。なお、図１２においては、便宜上、光学系５２およびホルダ５３を省略している。
【００８１】
図１２、図１４に示すように、撮像素子５１は、矩形状の受光面５１１を有する。受光面５１１大きさは、たとえば、縦が５．８ｍｍであり、横が約７．７ｍｍである。図１４、図１５に示すように、受光面５１１には、複数の単位受光領域５１２がマトリクス状に配置されている。各単位受光領域５１２は、方向ｘおよび方向ｙに辺が延びる矩形である。方向ｘにおける単位受光領域５１２の配列ピッチｐ１は、たとえば約４．５μｍである。配列ピッチｐ１は、各単位受光領域５１２の方向ｘにおけるサイズｗ１よりも僅かに大きい。方向ｙにおける単位受光領域５１２の配列ピッチｐ２は、たとえば約８μｍである。配列ピッチｐ２は、各単位受光領域５１２の方向ｙにおけるサイズｗ２よりも僅かに大きい。本実施形態においては、受光面５１１には、１２８０×９６０個の単位受光領域５１２が配置されている。これにより、撮像素子５１は、Ｌ版サイズの原稿Ｄｃを２６５ＤＰＩの解像度で読取できる。
【００８２】
図１１に示すように、光学系５２は、レンズ５２５と反射部材５２６とを備える。レンズ５２５は、ホルダ５３に保持されている。レンズ５２５は、原稿Ｄｃ側から進行してきた光を撮像素子５１の受光面５１１に結像させる。本実施形態においてレンズ５２５は、たとえば画角が５０°程度のいわゆる標準レンズである。
【００８３】
図１１に示すように、反射部材５２６は、基端部２１に取付けられている。反射部材５２６は、たとえばアルミニウムからなる。反射部材５２６は、反射率が高い鏡面からなる反射面５２６ａを有する。反射面５２６ａはレンズ５２５の正面に位置する。反射面５２６ａは凸状の非球面である。より具体的には、図１３に示すように、反射面５２６ａは、方向ｚにおけるレンズ５２５との距離が、方向ｘにおいては原稿Ｄｃ側に向かうほど大きく、且つ、方向ｙにおいては一定である。すなわち、反射面５２６ａは、方向ｘにおいてレンズ５２５側に膨らんだ凸曲面である。さらに凸曲面からなる反射面５２６ａは、レンズ５２５から遠ざかるにつれて曲率が小さくなるように構成されている。このような構成により、反射部材５２６は、原稿Ｄｃから進行してきた光を反射面５２６ａによって反射し、レンズ５２５に向かわせる。
【００８４】
次に、スキャナ装置Ａ２の作用について説明する。
【００８５】
スキャナ装置Ａ２においては、第１実施形態にかかるスキャナ装置Ａ１と同様に、保持部材２をフード１に対しスライドさせることができる。そのため、スキャナ装置Ａ２によると、比較的大きな原稿Ｄｃの記載内容を読み取ることができるとともに、保管スペースを削減できる。
【００８６】
本実施形態によれば、上述したように、原稿Ｄｃ側から進行してきた光を反射部材５２６の反射面５２６ａによって折り曲げてレンズ５２５に向かわせることができる。そのため、スキャナ装置Ａ２の厚さを厚くすることなく、反射部材５２６からレンズ５２５までの距離を大きくできる。反射部材５２６からレンズ５２５までの距離を大きくすると、原稿Ｄｃからレンズ５２５までの距離が大きくなる。原稿Ｄｃからレンズ５２５までの距離を大きくすると、スキャナ装置Ａ２の読取範囲が大きくなる。このように反射部材５２６を有するスキャナ装置Ａ２によると、スキャナ装置Ａ２の厚さを厚くすることなく、読取範囲を大きくすることができる。なお、レンズ５２５として画角がより大きいレンズを用いた場合であっても、スキャナ装置Ａ２の薄型化を図りつつ、標準レンズを用いた場合に増して広範囲の撮像を可能とすることができる。
【００８７】
本実施形態によれば、反射面５２６ａは方向ｘにおいて膨らんだ凸曲面とされている。このため、レンズ５２５自体の画角が小さくても、反射面５２６ａを介して撮像素子５１により撮像される範囲については、方向ｘに対応する垂直画角の広角化を図ることができる。かかる構成は、スキャナ装置Ａ２の薄型化を図る上で好適である。
【００８８】
反射面５２６ａは、レンズ５２５から遠ざかるにつれて曲率が小さくなるように構成されている。これにより、原稿Ｄｃの読取画像においては、広角化方向の画像端寄りの部分に生じうる歪みを抑制することができる。これにより、原稿Ｄｃの記載内容をより正確に読み取ることができる。
【００８９】
さらに、本実施形態は、第１実施形態で述べた利点と同様の利点も有する。
【００９０】
図１６を用いて、本発明の第３実施形態について説明する。図１６は、本実施形態にかかるスキャナ装置の要部断面図である。同図に示されたスキャナ装置Ａ３は、２つのレンズ５２５を備える。これらのレンズ５２５は、基端部２１の両側壁部分に基板４を介して搭載されている。本実施形態では、反射部材５２６は、平面からなる２つの反射面５２６ａを有する。これらの反射面５２６ａは、２つのレンズ５２５に対応するように位置している。図１６に表れているように、２つのレンズ５２５による原稿Ｄｃの読取範囲は、中央において重複している。フード２２における孔２２１ａには、透明板６１が配置されている。透明板６１には、方向ｚにおける中央に検出マーク６１１が付されている。
【００９１】
本実施形態では、２つのレンズ５２５によって２つの画像データが読み取られる。これらの画像データにはそれぞれ検出マーク６１１が写り込んでいる。そのため、これらの画像データにおける重複部分を検出できる。そして、たとえば制御ＩＣ７１によって２つの画像データの合成処理を実行することにより、広範囲の１つの画像データを取得することができる。このように、スキャナ装置Ａ３によれば、反射部材５２６として平面の反射面５２６ａを有することにより反射面５２６ａを介して撮像される範囲の広角化がなされない構成であっても、原稿Ｄｃの広範囲について正確な２次元画像を取得できる。また、反射面５２６ａが第２実施形態に示した曲面状である場合には、さらなる広角化が期待できる。
【００９２】
図１７〜図１９を用いて、本発明の第４実施形態について説明する。図１７は、本実施形態にかかるスキャナ装置の要部断面図である。これらの図に示したスキャナ装置Ａ４は、フード３をさらに備え、フード１がフード３の孔３１ａにはめ込まれている点において、第１実施形態にかかるスキャナ装置Ａ１と相違する。本実施形態におけるフード１、および保持部材２の厚さは、第１実施形態に示したものと比較して小さくなっている。
【００９３】
フード３は、原稿Ｄｃ側に矩形状の開口端３ａを有する箱状である。フード３には孔３１ａが形成されている。フード３は、たとえばアクリル系、エポキシ系、ポリカーボネート系の白色の半透明樹脂からなる。そのため、フード３は、外光を透過させるとともに散乱させ得る。フード３の内部は、光通過空間３ｂである。原稿Ｄｃからの光は、光通過空間３ｂを通り、図上方に進行する。
【００９４】
フード１における側板１３は、孔３１ａと係合することにより、図１７の上下方向におけるフード１の移動を係止する複数のくびれ１ｃ，１ｄを有する。くびれ１ｃ，１ｄは、孔３１ａの縁３１ａ’が入り込むくびれである。さらに当該くびれは、孔３１ａの縁３１ａ’の全周が入り込む形状である。
【００９５】
次に、スキャナ装置Ａ４の作用について説明する。
【００９６】
スキャナ装置Ａ４においては、フード１をフード３に対しスライドさせることができる。また保持部材２をフード１に対しスライドさせることができる。図１７に示した位置に保持部材２を位置させることにより、比較的大きいサイズの原稿Ｄｃの記載内容を読み取ることができる。一方、図１７に示した位置から図１８に示す位置に保持部材２とフード１とをスライドさせることにより、スキャナ装置Ａ４の厚さをより小さくできる。スキャナ装置Ａ４の厚さを小さくできると、スキャナ装置Ａ４の保管スペースを削減できる。このように、スキャナ装置Ａ４は、上記実施形態と同様、比較的大きな原稿Ｄｃの記載内容を読み取ることができるとともに、保管スペースを削減できる。さらに、図１９に示すように、フード３にフード１と保持部材２とを収容した状態で、スキャナ装置Ａ４を保管することによっても保管スペースを削減できる。
【００９７】
本実施形態にかかるスキャナ装置Ａ４は、カメラ５が広角レンズを備える構成にかえて、第２実施形態もしくは第３実施形態で示した反射板５２６を有する構成であってもよい。
【００９８】
図２０を用いて、本発明の第５実施形態について説明する。図２０は、本実施形態にかかるスキャナ装置を示す断面図である。同図に示したスキャナ装置Ａ５は、上板１１に配置された照射シート８１をさらに備える点において、第１実施形態にかかるスキャナ装置Ａ１と相違する。照射シート８１は、たとえば有機ＥＬシートである。このようなスキャナ装置Ａ５において、照射シート８１は、フード１の上側から光通過空間１ｂに向かう光を遮断する。一方、照射シート８１から照射された光は、白色樹脂からなる上板１１を透過することにより、原稿Ｄｃに散乱光として照射される。このようにして、原稿Ｄｃに適切な量の光を照射することが可能となる。
【００９９】
照射シート８１を備える構成を、第２、第３、第４実施形態の各スキャナ装置に適用してもよい。また照射シート８１を、上板１１に配置するのではなく、傾斜板１２に配置してもよいし、側板１３に配置してもよい。
【０１００】
図２１を用いて、本発明の第６実施形態について説明する。図２１は、本実施形態にかかるスキャナ装置の断面図である。同図に示したスキャナ装置Ａ６は、上板１１と、傾斜板１２の中央寄りの部分とに、設けられた遮光膜８２をさらに備える点において、第１実施形態にかかるスキャナ装置Ａ１と相違する。遮光膜８２は、たとえば黒色の樹脂からなる。スキャナ装置Ａ６において、傾斜板１２の外周寄りの部分と、側板１３とは、遮光膜８２に覆われずに、外周側の表面が露出している。この露出部分は、散乱透過部１２５である。この散乱透過部１２５に外光が到達すると、当該外光は、半透明樹脂を透過することによって、散乱光としてフード１の内側の原稿Ｄｃに向けて照射される。
【０１０１】
本実施形態によれば、フード１の開口端１ａが原稿Ｄｃの周囲を押さえ付けた状態において、部屋の照明光あるいは太陽光などの外光を、散乱透過部１２５を介してフード１の内側に取り入れ、散乱光として原稿Ｄｃに向けて比較的に均一に照射することができる。したがって、本構成を用いれば、従来のフラットベッド型の画像読取装置とは異なり、原稿Ｄｃが書物やアルバムといった段差などを有するものである場合においても、フード１を原稿Ｄｃに覆い被せるだけで原稿Ｄｃの記載内容を適正に読取ることができる。また、スキャナ装置Ａ６によれば、比較的に重量や厚さが嵩む原稿Ｄｃについても、フラットベッド型の画像読取装置のように読取部分を裏返してセットする必要がないため、画像読取のための作業そのものを簡単に行うことができる。
【０１０２】
図２２を用いて、本発明の第７実施形態について説明する。図２２は、本実施形態にかかるスキャナ装置の断面図である。本実施形態のスキャナ装置Ａ７は、フード１において、散乱透過部１２５が配される範囲が上記実施形態と異なっている。具体的には、複数の遮光膜８２が分離して形成されており、これに伴って、散乱透過部１２５も複数個所に分離して設けられている。そして、複数の散乱透過部１２５については、フード１の横断面方向（図中左右方向）において外周寄りのものほど散乱透過部１２５どうしの離間幅が大とされている。このような構成によれば、フード１においては、横断面方向における中央から外周寄りへ向かうにつれて外光の透過光量が多くなり、原稿Ｄｃにおいては、読取部分の端部に寄るほど高い照度の光が照射されることになる。このことは、取り込まれる画像データを均一な明るさとするうえで、より好ましい。
【０１０３】
図２３を用いて、本発明の第８実施形態について説明する。図２３は、本実施形態にかかるスキャナ装置の平面図である。本実施形態のスキャナ装置Ａ８は、フード１において、散乱透過部１２５が配される範囲が上記実施形態と異なっている。具体的には、遮光膜８２が平面視における楕円形領域に形成されており、この楕円形領域の外側が散乱透過部１２５となっている。このような構成によれば、散乱透過部１２５は、矩形状の読取部分の４隅付近に占める面積比率が他の部分に占める面積比率よりも大きくなる。したがって、光量が不足しがちな読取部分の４隅（画角端）付近に対して比較的高い照度の光を照射することが可能である。このことは、たとえば読取った画像データをＯＣＲ（光学式文字読取装置）によって処理する場合において、読取部分周辺部の光量不足に起因して識別不能となるといった不都合を解消するうえで有利である。なお、読取部分が正方形に近い形状である場合には、散乱透過部１２５を、図２３のような楕円形領域の外側に設ける構成に代えて、円形領域の外側に設ける構成としてもよい。
【０１０４】
図２４を用いて、本発明の第９実施形態について説明する。図２４は、本実施形態にかかるスキャナ装置の断面図である。本実施形態のスキャナ装置Ａ９は、フード１の外側に照明手段８４が追加的に設けられている点において、上記実施形態と異なる。照明手段８４は、原稿Ｄｃに向けて散乱光を照射するためのものである。照明手段８４は、図示しない光源と、および全体として棒状に延びる導光体８４１とを備える。光源は、たとえば赤色光、緑色光、および青色光を発光する３つのＬＥＤチップを含む。光源は導光体８４１の端部に設けられている。光源の駆動制御は、たとえば図示しない配線を介して接続された制御ＩＣ７１によって行う。光源から光が発せられると、その光は導光体８４１内を長手方向に沿って進行する。
【０１０５】
導光体８４１は、たとえばアクリル樹脂からなる透明度が高い部材である。導光体８４１は、略全長にわたって断面略円形状を有する。導光体８４１は、フード１の側板１３の外面に取り付けられた支持部材８４２に支持されている。導光体８４１は、散乱透過部１２５の外周に沿って配置されている。
【０１０６】
このような光源および導光体８４１を有する構成によれば、線状光を照射することができる。この線状光は、散乱透過部１２５を透過することによって主に原稿Ｄｃの読取部分の周辺部に散乱光として照射されることになる。そのため、たとえば、外部環境によっては外光を取り入れるだけでは光量が不足する場合においても、そのような不足分の光量を照明手段８４によって適切に補うことができる。また、導光体８４１から照射される線状光は、散乱透過部１２５を介してフード１内に散乱光として取り入れられる。そのため当該線状光は、画像データに直接写り込みにくい。
【０１０７】
図２５を用いて、本発明の第１０実施形態について説明する。図２５は、本実施形態にかかるスキャナ装置の断面図である。本実施形態のスキャナ装置Ａ１０は、フード１の内側に照明手段８４が設けられている点において、上記実施形態と異なる。照明手段８４は、図示しない光源、導光体８４１、および支持部材８４２を有する。照明手段８４は、基本構造としては上記実施形態の照明手段８４と同様であるが、支持部材８４２の配置、および導光体８４１からの線状光の出射方向が上記第９実施形態と異なる。本実施形態では、支持部材８４２はフード１の上板１１に支持されている。導光体８４１から照射される光は、傾斜板１２もしくは側板１３の内面によって反射される。傾斜板１２もしくは側板１３の内面の内面については、導光体８４１からの線状光を散乱反射させるような構成とするのが好ましい。線状光を散乱させるためたとえば微細粗面に形成してもよい。また、これとは異なり、傾斜板１２もしくは側板１３の内面を反射率の高い平滑面に形成してもよい。
【０１０８】
このような構成によれば、導光体８４１から出射される線状光は、傾斜板１２もしくは側板１３の内面において反射されることによって散乱光として原稿Ｄｃに向けて照射される。本実施形態によれば、たとえば、外部環境によっては外光を取り入れるだけでは光量が不足する場合、不足分の光量を照明手段８４によって適切に補うことができる。さらに、照明手段８４は、フード１の内側に設けられているので、スキャナ装置Ａ１０を大型にする必要がない。
【０１０９】
図２６〜図２８を用いて、本発明の第１１実施形態について説明する。図２６は、本実施形態にかかるスキャナ装置の断面図である。本実施形態のスキャナ装置Ａ１１は、スキャナ装置Ａ１１の厚さ方向の寸法がより小さくなっている点、制御ＩＣ７１が画像歪みを補正する補正回路をさらに備えている点が、第６実施形態と異なる。また、本実施形態では、広角レンズとして、画角が１３８°程度のものを用いている。上記補正回路は、撮像素子５１により撮像された原稿Ｄｃの撮像画像データから、原稿Ｄｃの像歪みが補正された補正画像データを生成する。
【０１１０】
図２７は、撮像素子５１により撮像された原稿Ｄｃのサンプルの画像であり、上記補正回路により画像補正がされる前のものを示している。図２８は、図２７で示した画像について上記補正回路により歪み補正がされたものを示している。これらの図から明らかなように、図２７に示した画像における画角端周辺部の像歪みが、図２８では、補正されほぼ無くなっている。
【０１１１】
上記補正回路は、たとえば次のような処理をおこなう。まず、上記補正回路には、撮像素子５１により撮像された撮像画像データが入力される。この撮像画像データは、たとえば、単位受光領域５１２ごとに、ある二次元座標系における座標（補正前座標とする）と色彩に関する情報とが与えられたものとなっている。次に、補正前座標について座標変換する。単位受光領域５１２の補正前座標を、所定の変換式により、歪みが補正された画像となるような二次元座標系における座標（補正後座標）に変換する。そして、単位受光領域５１２ごとに補正後座標と色彩に関する情報とが与えられた補正画像データとして、スキャナ装置Ａ１１外などにこのデータを出力する。
【０１１２】
ここで、上記変換式は、広角レンズの特性により決まるものである。この変換式のパラメータは、格子状のテストパターンを撮像し、いくつかの補正前後の座標をこの変換式に代入することにより求められる。まず、目盛りの付いた格子状のテストパターンを撮像し、樽型の画像を得る。このとき、たとえば軸が画像の横方向と縦方向とである直交座標系における、格子の各交点の座標（補正前座標）を得る。次に、格子における各線分が互いに平行となるような座標系における、格子の各交点の座標（補正後座標）を決定する。次に、格子の各交点の補正前後の座標をパラメータが決定されていない上記変換式に代入し、これらのパラメータを求めることができる。
【０１１３】
もちろん、補正前座標および補正後座標の対応関係を示すテーブルが既知である場合には、上記変換式を用いずに当該テーブルを用いて、補正前座標から補正後座標を得てもよい。
【０１１４】
スキャナ装置Ａ１１は上記補正回路を備えていることから、スキャナ装置Ａ１１を薄型にしても、歪みの少ない画像を得ることができる。
【０１１５】
図２９および図３０を用いて、本発明の第１２実施形態について説明する。図２９は、本実施形態のスキャナ装置の断面図である。同図に示されたスキャナ装置Ａ１２は、フード１に取手６７と開閉板６８とが設けられた点において、第１実施形態にかかるスキャナ装置Ａ１と相違する。また、透明板６は、フード１の図２９の左端に連結されておりフード１に対し開閉可能である。スキャナ装置Ａ１２を持ち運ぶ場合には、保持部材２をフード１から取り外しフード１に収容する。そして図３０に示すように、開閉板６８により孔１１ａを塞ぐ。このようにして、スキャナ装置Ａ１２を持ち運びできるカバンとしても用いることができる。
【０１１６】
図３１を用いて、本発明の第１３実施形態について説明する。図３１は、本実施形態のスキャナ装置の要部断面図である。同図に示されたスキャナ装置Ａ１３は、保持部材２が、蛇腹状の連結部材２９によりフード１に連結されている点において、第１実施形態にかかるスキャナ装置Ａ１と相違する。このような構成であっても、保持部材２は、フード１に対し図上下方向に相対移動できる。そのため、スキャナ装置Ａ１３によっても、比較的大きな原稿Ｄｃの記載内容を読み取ることができるとともに、保管スペースを削減できる。
【０１１７】
図３２は、本発明にかかるスキャナ補助装置の実施形態の一例を示している。本実施形態のスキャナ補助装置Ｂは、撮像素子および結像面側レンズ群を備えておらず、基端部２１は、原稿Ｄｃとは反対側の図中上方に開口端２１ａを有する筒状とされている。このスキャナ補助装置Ｂは、たとえば、電子撮像装置を備えたカメラ９（デジタルカメラやカメラ機能搭載の携帯電話機など）のレンズ部分を開口端２１ａに臨ませた状態において、カメラ９を開口端２１ａ側の端部に取り付けることができるように構成されている。このように、スキャナ補助装置Ｂは、カメラ９を取り付けることによって、広角撮像が可能なハンディタイプスキャナとして利用することができる。
【０１１８】
図３３〜図３６を用いて、本発明にかかるスキャナ装置の他の実施形態について説明する。
【０１１９】
これらの図に示されたスキャナ装置Ｃは、基板１００、撮像素子２００、光学系としての広角レンズ３００、ケース４００、透明板５００、および照射シート５０３を備えて構成されている。スキャナ装置Ｃは、読取対象である原稿Ｄｃの記載内容を画像データとして読み取るためのものである。
【０１２０】
基板１００は、たとえばプリント配線基板であり、図３４に示すように長矩形状とされている。基板１００は、銅などからなる金属配線層と樹脂層とが積層された構造を有する。基板１００の中央部分には、撮像素子２００および広角レンズ３００が実装されている。基板１００には、制御ＩＣ５０１およびメモリチップ５０２が実装されている。
【０１２１】
撮像素子２００は、たとえばＣＣＤ型やＣＭＯＳ型と呼ばれるものであり、図３５および図３６に示すように、矩形状の受光面２１０を有している。受光面２１０には、複数の単位受光領域２２０が形成されている。各単位受光領域２２０は、受けた光の光量に応じた起電力を生じさせる、いわゆる光電変換機能を発揮する部分である。複数の単位受光領域２２０は、たとえば２μｍ程度の一定の配列ピッチでマトリクス状に配置されている。本実施形態においては、受光面２１０は、１，６００個×１，２００個の単位受光領域２２０によって構成されており、約３．６ｍｍ×約２．７ｍｍのサイズとされている。これにより、撮像素子２００は、Ｌ版サイズの原稿Ｄｃを３２０ＤＰＩの解像度で読取可能である。受光面２１０が光を受けると、各単位受光領域２２０ごとの受光量に対応した出力レベルの画像信号が撮像素子２００から出力される。
【０１２２】
広角レンズ３００は、原稿Ｄｃから向かってきた光を撮像素子２００の受光面２１０に結像させるためのものであり、図３６に示すように、物体側レンズ３１０、収束レンズ３２０、および結像面側レンズ群３３０を備えている。物体側レンズ３１０、収束レンズ３２０、および結像面側レンズ群３３０は、それぞれのレンズ中心が一致するように、レンズホルダ３４０に保持されている。
【０１２３】
物体側レンズ３１０は、凹レンズとされており、物体側の入射面３１０ａと、結像面側の出射面３１０ｂとを備えている。入射面３１０ａは、凸の非球面とされており、そのレンズ中心付近の曲率半径に対し、レンズ中心から遠ざかるにつれて曲率半径が小さくなる形状とされている。出射面３１０ｂは、凹球面とされた領域をもっている。本実施形態においては、上記凹球面とされた領域は、ほぼ１８０°に及んでいる。出射面３１０ｂは、正確な凹球面であることが望ましいが、たとえば色消しのための樹脂層をコーティングすることはなんら差し支えないし、また、各種収差を補正するためにわずかな変更を加えても差し支えない。
【０１２４】
収束レンズ３２０は、物体側レンズ３１０が凹レンズからなるために、発散しながら進行してくる光を、平行光ないしは略平行光に修正して、結像面側レンズ群３３０へと入射させる役割を果たす。したがって、収束レンズ３２０は、全体として凸レンズとされている。
【０１２５】
結像面側レンズ群３３０は、本実施形態の場合、非球面凸レンズ３３１と非球面凹レンズ３３２の組み合わせからなる。この結像面側レンズ群３３０は、それ自体で収差少なく物体像を結像面に結像できるものが採用される。なお、撮像素子２００に赤外線が入射することを防止するために、結像面側レンズ群３３０と撮像素子２００との間に赤外線フィルタ３５０を設けてもよい。
【０１２６】
本実施形態における広角レンズ３００は、物体側レンズ３１０の入射面３１０ａを上記のように凸の非球面としたことによって比較的に広角でありながら像歪みが少なくなっており、たとえば画角が１００°程度、像歪みが±３％以内である。なお、画角をより大きくするために、物体側のレンズを複数のレンズからなる物体側レンズ群として構成してもよい。
【０１２７】
ケース４００は、基端部４１０、およびフード４２０を有している。基端部４１０は、図中下方に開口端を有する箱状とされており、たとえば遮光性に優れた黒色の樹脂製である。この基端部４１０には基板１００が搭載されており、これにより、撮像素子２００および広角レンズ３００は、基板１００を介して基端部４１０に収容保持されている。
【０１２８】
フード４２０は、原稿Ｄｃを押え付けることによって当該原稿Ｄｃの読取部分を覆って外部と区切るためのものであり、図中下方の原稿Ｄｃ側に長矩形状の開口端４２０ａを有する箱状とされている。より具体的には、フード４２０は、中央に貫通孔４２１ａを有する上板４２１と、この上板４２１につながる傾斜板４２２と、傾斜板４２２につながる側板４２３とを備えて構成されており、広角レンズ３００が貫通孔４２１ａに臨む姿勢で基端部４１０の開口端部に取り付けられている。傾斜板４２２は、広角レンズ３００から開口端４２０ａに向かうにつれて横断面が外方に広がる傾斜状とされている。本実施形態においては、フード４２０は、外光を透過させるとともに散乱させることが可能な構成とされており、たとえば白色の半透明樹脂からなる。このようなフード４２０の材質としては、たとえばアクリル系、エポキシ系、あるいはポリカーボネート系の樹脂が挙げられる。
【０１２９】
照射シート５０３は、傾斜板４２２のほぼ全体に形成されている。照射シート５０３はたとえば有機ＥＬのシートである。照射シート５０３は、傾斜板４２２に向かって光を照射する。照射シート５０３から発せられた光は、傾斜板４２２を透過し、原稿Ｄｃに向かう。
【０１３０】
透明板５００は、たとえば透明樹脂製であり、フード４２０に取り付けられている。本実施形態では、透明板５００は、フード４２０の開口端４２０ａから広角レンズ３００側に少し入り込んだ位置に設けられている。この透明板５００は、広角レンズ３００を保護する役割を有するとともに、たとえば原稿Ｄｃのうねりや反りが大きい場合には、原稿Ｄｃをほぼ平らな状態に押さえる役割を担う。なお、透明板５００の下面には、反射防止膜を形成してもよい。この場合、原稿Ｄｃから広角レンズ３００に向かう光の透明板５００表面での反射による光量ロスを抑制することができる。上板４２１と傾斜板４２２と側板４２３と透明板５００とに囲まれた空間が本発明の光透過空間の一例に相当する。
【０１３１】
制御ＩＣ５０１は、演算処理回路が作り込まれた半導体チップであり、撮像素子２００の駆動制御、メモリチップ５０２へのデータ転送、およびスキャナ装置Ｃ外とのデータ送受を行う。メモリチップ５０２は、たとえばフラッシュメモリであり、制御ＩＣ５０１の駆動制御によって得られた画像データを記憶しておくためのものである。
【０１３２】
次に、スキャナ装置Ｃの作用について説明する。
【０１３３】
本実施形態によれば、フード４２０の開口端４２０ａ側を原稿Ｄｃに押さえ付けた状態において、部屋の照明光あるいは太陽光などの外光を、照射シート５０３により遮断しつつ、照射シート５０３からの光を散乱光としてフード４２０の内側に取り入れることができる。したがって、スキャナ装置Ｃを用いれば、従来のフラットベッド型の画像読取装置とは異なり、原稿Ｄｃが書物やアルバムといった段差などを有するものである場合においても、フード４２０を原稿Ｄｃに覆い被せるだけで原稿Ｄｃの記載内容を適正に読取ることができる。また、スキャナ装置Ｃによれば、比較的に重量や厚さが嵩む原稿Ｄｃについても、フラットベッド型の画像読取装置のように読取部分を裏返してセットする必要がないため、画像読取のための作業そのものを簡単に行うことができる。このようなことから、スキャナ装置Ｃは、ハンディタイプスキャナとして利用するのに適している。
【０１３４】
スキャナ装置Ｃにおいては、光学系として広角レンズ３００を備えることにより、広角でありかつ歪みが少ない結像をすることが可能である。これにより、広角レンズ３００をケース４００の開口端４２０ａから比較的近い位置に配置することが可能であり、スキャナ装置Ｃの薄型化を図ることができる。
【０１３５】
本発明の範囲は、上述した実施形態に限定されるものではない。本発明の各部の具体的な構成は、種々に設計変更自在である。
【０１３６】
本発明にかかるスキャナ装置を、テレビなどに接続し文字拡大機として用いてもよい。もしくは、本発明にかかるスキャナ装置を、プレゼンテーション用やファクシミリの補助スキャナとして用いてもよい。
【０１３７】
図３７および図３８は、本発明に係るスキャナシステムの一例を示している。本実施形態のスキャナシステムＤ１は、筐体６００，駆動機構７００，制御手段７１０，およびスキャナ装置Ｃを備えている。スキャナシステムＤ１は、上述したスキャナ装置Ｃをその一部に備えることにより、たとえばＡ４サイズの原稿Ｄｃを読み取り対象とした比較的高速な画像読み取り処理が可能とされたシステムである。なお、スキャナ装置Ｃの構成は上述した通りであるが、たとえば図３３および図３４に示された照射シート５０３に代えて、図２４および図２５に示された照明手段８４を備える構成であってもよい。
【０１３８】
筐体６００は、スキャナ装置Ｃ、駆動機構７００、および制御手段７１０を収容している。筐体６００には、透明板６０４が取り付けられている。透明板６０４は、原稿Ｄｃが置かれる面を構成するものである。筐体６００には、蓋６０１が取り付けられている。蓋６０１は読み取り処理を行う際に、原稿Ｄｃを抑える役目を果たす。
【０１３９】
筐体６００には、枠体６０２が形成されている。枠体６０２は、原稿Ｄｃからの光をスキャナ装置Ｃに到達させるための開口６０５を囲む矩形環状とされている。枠体６０２のスキャナ装置Ｃ側の面には、後述する区画マーク６４１，６４２，６４３，６４４が記されている。
【０１４０】
駆動機構７００は、筐体６００内においてスキャナ装置Ｃを原稿Ｄｃに沿ってｘ方向およびｙ方向に移動させるための機構であり、ロッド７０１、モータ７０２、およびベルト７０３を有している。ロッド７０１は、ｘ方向に延びており、スキャナ装置Ｃをｘ方向において摺動可能に支持している。また、ロッド７０１は、図示しないモータによってｙ方向に移動可能となっている。ベルト７０３は、ｘ方向に長く延びる楕円環状にかけまわされており、モータ７０２によって駆動される。ベルト７０３は、スキャナ装置Ｃに連結されている。モータ７０２の駆動により、スキャナ装置Ｃは、ｘ方向に移動可能とされている。なお、ラインセンサを備えた構成においてラインセンサを１ラインずつ移動させることが強いられることとは異なり、本実施形態においては、スキャナ装置Ｃをｘ方向およびｙ方向それぞれにおいて２箇所の位置へ移動させるだけでよい。このため、駆動機構７００としては、モータ７０２に代えて、たとえばバネを用いた機構や、使用者が手動でスキャナ装置Ｃを移動させる構成であってもよい。
【０１４１】
制御手段７１０は、駆動機構７００の動作、スキャナ装置Ｃの撮影処理、および機外とのデータ授受などを制御するためのものであり、たとえばＣＰＵ、メモリ、およびデータインターフェースを具備している。
【０１４２】
図３９は、原稿Ｄｃが置かれた状態を筐体６００の内側から見た図である。原稿Ｄｃの周りには、枠体６０２の下面が表れている。枠体６０２の下面には、区画マーク６４１，６４２，６４３，６４４が記されている。区画マーク６４１，６４３は、ｙ方向に延びる太線状のマークであり、区画マーク６４２，６４４は、ｘ方向に延びる太線状のマークである。なお、区画マーク６４１，６４２，６４３，６４４としては、太線状のものに限定されず、四角形、三角形、円形など、後述する画像の合成処理を適切に行える形状であればよい。
【０１４３】
スキャナシステムＤ１による画像読み取り処理は、以下の手順で行われる。
【０１４４】
まず、制御手段７１０の指令により、駆動機構７００がスキャナ装置Ｃを撮影位置６５１へと移動させる。この撮影位置６５１において原稿Ｄｃの画像をスキャナ装置Ｃによって撮影する。図４０に示すように、この撮影によって得られる画像６６１には、原稿Ｄｃの一部とともに、区画マーク６４１，６４４が写りこむ。
【０１４５】
次いで、制御手段７１０の指令により、駆動機構７００がスキャナ装置Ｃを図３９に示す撮影位置６５２へと移動させる。この撮影位置６５２において原稿Ｄｃの画像をスキャナ装置Ｃによって撮影する。図４０に示すように、この撮影によって得られる画像６６２には、原稿Ｄｃの一部とともに、区画マーク６４１，６４２が写りこむ。
【０１４６】
次いで、制御手段７１０の指令により、駆動機構７００がスキャナ装置Ｃを図３９に示す撮影位置６５３へと移動させる。この撮影位置６５３において原稿Ｄｃの画像をスキャナ装置Ｃによって撮影する。図４０に示すように、この撮影によって得られる画像６６３には、原稿Ｄｃの一部とともに、区画マーク６４３，６４４が写りこむ。
【０１４７】
次いで、制御手段７１０の指令により、駆動機構７００がスキャナ装置Ｃを図３９に示す撮影位置６５４へと移動させる。この撮影位置６５４において原稿Ｄｃの画像をスキャナ装置Ｃによって撮影する。図４０に示すように、この撮影によって得られる画像６６４には、原稿Ｄｃの一部とともに、区画マーク６４２，６４３が写りこむ。
【０１４８】
これらの撮影処理によって得られた画像６６１，６６２，６６３，６６４のデータは、制御手段７１０のメモリに格納される。そして、制御手段７１０は、画像６６１，６６２，６６３，６６４のうち隣り合うものどうしの合成処理を行う。たとえば画像６６１と画像６６２とに、区画マーク６４１が写りこむことが、制御手段７１０に既知の情報として与えられている。制御手段７１０は、互いの区画マーク６４１が重なるように、画像６６１，６６２を重ね合わせる。同様に、区画マーク６４２が重なるように画像６６２，６６３を重ね合わせ、区画マーク６４３が重なるように画像６６３，６６４を重ね合わせ、区画マーク６４４が重なるように画像６６１，６６３を重ね合わせる。これらの合成処理によって、原稿Ｄｃの全体が写っている画像６６０が得られる。
【０１４９】
本実施形態によれば、原稿Ｄｃの読み取り処理に含まれる撮影処理の回数は、４回だけである。各撮影処理の後に行われる、制御手段７１０への画像データ転送の回数も４回である。このため、撮影処理とデータ転送処理とを繰り返し行うことによる切り替えに要する待ち時間を、顕著に短縮させることが可能である。したがって、たとえばＡ４サイズの原稿Ｄｃの読み取り処理を迅速に行うことができる。
【０１５０】
区画マーク６４１，６４２，６４３，６４４によって画像６６１，６６２，６６３，６６４を重ね合わせるため、画像６６１，６６２，６６３，６６４どうしが正規の位置関係から過大にずれてしまうおそれが少ない。特に、駆動機構７００による撮影位置６５１，６５２，６５３，６５４へのスキャナ装置Ｃの移動に予期せぬ位置誤差が含まれていても、区画マーク６４１，６４２，６４３，６４４が画像６６１，６６２，６６３，６６４に写りこんでいる限り、画像の重ね合わせ処理を適切に行うことができる。
【０１５１】
図４１は、スキャナシステムＤ１の変形例を示している。本変形例においては、蓋６０１に区画マーク６０６が設けられている。区画マーク６０６は、ｘ方向およびｙ方向に延びる太線状部分を有する十文字状である。枠体６０２には、４つの窓６０７が形成されている。４つの窓６０７は、枠体６０２を貫通しており、蓋６０１を閉じたときに区画マーク６０６の４つの先端部分と重なる位置に設けられている。
【０１５２】
このような変形例においても、スキャナ装置Ｃによって原稿Ｄｃを撮影すると、図４０に示した例と同様に、画像６６１〜６６４に区画マーク６４１〜６４４代えて区画マーク６０６が写りこむ。これにより、複数の画像６６１〜６６４の合成処理を適切に行うことができる。
【０１５３】
図４２および図４３は、本発明に係るスキャナシステムの他の例を示している。本実施形態のスキャナシステムＤ２は、スキャナ装置Ｃと、枠体８００およびパーソナルコンピュータ８１０とを備えている。スキャナシステムＤ２は、使用者がスキャナ装置Ｃを手に持って扱うことによって読み取り処理を行うものであり、スキャナシステムＤ１と比べてシンプルな構成とされている。また、スキャナ装置Ｃとしては、たとえば図３３および図３４に示された照射シート５０３に代えて、図２４および図２５に示された照明手段８４を備える構成であってもよい。さらに、フード４２０によって撮影光源としての外光を拡散させつつ透過させる構成や、図２１〜図２３に示された構成ように、遮光膜８２をさらに備える構成であってもよい。
【０１５４】
枠体８００は、矩形環状であり、たとえばＡ４サイズの原稿Ｄｃよりも若干大とされている。枠体８００には、開口８０４および位置決め開口８０５が形成されている。開口８０４は、原稿Ｄｃからの光をスキャナ装置Ｃへと到達させるためのものである。枠体８００には、透明板８０３が嵌めこまれている。
【０１５５】
位置決め開口８０５は、開口８０４よりも図４３における上方に位置しており、開口８０４よりも若干大である。位置決め開口８０５の内側面は、スキャナ装置Ｃの外側面に当接させられることにより、スキャナ装置Ｃのｘ方向およびｙ方向における位置を規定する。
【０１５６】
枠体８００のうち開口８０４を囲む部分の上面には、複数の区画マーク８０１が記されている。これらの区画マーク８０１は、上述した区画マーク６４１，６４２，６４３，６４４と同様にｘ方向に延びる太線状のものとｙ方向に延びる太線状のものとを２つずつ含んでいる。なお、区画マーク８０１としては、太線状のものに限定されず、四角形、三角形、円形など、後述する画像の合成処理を適切に行える形状であればよい。
【０１５７】
枠体８００の下部には、複数の支持脚８０２が取り付けられている。支持脚８０２は、上下方向に伸縮するバネを有している。枠体８００は、複数の支持脚８０２によって支持されることにより、厚さが異なる複数の原稿Ｄｃに対して適切に押し付け可能とされている。
【０１５８】
パーソナルコンピュータ８１０は、本発明で言う制御手段の一例に相当し、たとえばケーブルを介してスキャナ装置Ｃと接続されている。パーソナルコンピュータ８１０は、スキャナ装置Ｃから送られてきた画像の合成処理を行う。なお、パーソナルコンピュータ８１０を備える構成に代えて、スキャナ装置Ｃに画像合成処理をつかさどる制御手段を内蔵する構成としてもよい。
【０１５９】
スキャナシステムＤ２を用いた原稿Ｄｃの読み取り処理は以下の手順によって行う。まず、枠体８００によって原稿Ｄｃを押さえつける。次いで、スキャナ装置Ｃの外側面を位置決め開口８０５の内側面に当接させた状態で、撮影を行う。次いで、位置決め開口８０５の内側面に沿ってスキャナ装置Ｃをｘ方向またはｙ方向に移動させた後に、撮影を行う。以下、スキャナ装置Ｃの移動と撮影とを交互に行う。合計４回の撮影処理を終えると、原稿Ｄｃの一部ずつを含む４つの画像が得られる。これらの画像には、図４０を参照して説明した例と同様に、区画マーク８０１が適所に写りこんでいる。これらの区画マークが重なり合うように、これらの画像をパーソナルコンピュータ８１０によって合成する。以上の手順により、原稿Ｄｃの全体を含む画像が得られる。
【０１６０】
本実施形態によれば、駆動機構７００を備えないため、スキャナシステムＤ２のコストダウンを図ることができる。その一方で、位置決め開口８０５に沿わせたスキャナ装置Ｃの位置決め、および区画マーク８０１を活用した画像合成により、スキャナ装置Ｃよりも大きなサイズである原稿Ｄｃの読み取りを精度よく行うことが可能である。
【０１６１】
本発明に係るスキャナシステムは、上述した実施形態に限定されるものではない。本発明の各部の具体的な構成は、種々に設計変更自在である。
【符号の説明】
【０１６２】
Ａ１〜Ａ１３  スキャナ装置
Ｂ  スキャナ補助装置
１  （第１）フード
１１  上板
１１ａ  （第１の）孔
１１ａ’  縁
１２  傾斜板
１２５  散乱透過部
１３  側板
１ａ  開口端
１ｂ  （第１）光透過空間
１ｃ，１ｄ  くびれ
２  保持部材
２１  基端部
２１ａ  開口端
２２  （第２の）フード
２２１  上板
２２１ａ  孔
２２２  傾斜板
２２３  側板
２２ａ  開口端
２２ｂ  （第２）光透過空間
２２ｃ，２２ｄ，２２ｅ  くびれ
２９  連結部材
３  （第３の）フード
３１ａ  （第３の）孔
３１ａ’  縁
３ａ  開口端
３ｂ  （第３）光透過空間
４  基板
５  カメラ
５１  撮像素子
５１１  受光面
５１２  単位受光領域
５２  光学系
５２１  物体側レンズ
５２１ａ  入射面
５２１ｂ  出射面
５２２  収束レンズ
５２３  結像面側レンズ群
５２３ａ  非球面凸レンズ
５２３ｂ  非球面凹レンズ
５２５  レンズ
５２６  反射部材
５２６ａ  反射面
５３  ホルダ
５４  赤外線フィルタ
６  透明板
６１  透明板
６１１  検出マーク
６７  取手
６８  開閉板
７１  制御ＩＣ
７２  メモリチップ
８１  照射シート
８２  遮光膜
８４  照明手段
８４１  導光体
８４２  支持部材
９  カメラ
ｐ１，ｐ２  配列ピッチ
Ｃ  スキャナ装置
１００  基板
２００  撮像素子
２１０  受光面
２２０  単位受光領域
３００  広角レンズ
３１０  物体側レンズ
３１０ａ  入射面
３１０ｂ  出射面
３２０  収束レンズ
３３０  結像面側レンズ群
３３１  非球面凸レンズ
３３２  非球面凹レンズ
３４０  レンズホルダ
３５０  赤外線フィルタ
４００  ケース
４１０  基端部
４２０  フード
４２０ａ  開口端
４２１  上板
４２２  傾斜板
４２３  側板
５００  透明板
５０１  制御ＩＣ
５０２  メモリチップ
５０３  照射シート
Ｄ１，Ｄ２  スキャナシステム
６００  筺体
６０１  蓋
６０２  枠体
６０４  透明板
６０５  開口
６０６  区画マーク
６０７  窓部
６４１，６４２，６４３，６４４  区画マーク
６５１，６５２，６５３，６５４  撮影位置
６６０，６６１,６６２，６６３，６６４  画像
７００  駆動機構
７０１  ロッド
７０２  モータ
７０３  ベルト
７１０  制御手段
８００  枠体
８０１  区画マーク
８０２  支持脚
８０３  透明板
８０４  開口
８０５  位置決め開口
８１０  パーソナルコンピュータ（制御手段）
【図１】
2011109643.tif 000003
【図２】
2011109643.tif 000004
【図３】
2011109643.tif 000005
【図４】
2011109643.tif 000006
【図５】
2011109643.tif 000007
【図６】
2011109643.tif 000008
【図７】
2011109643.tif 000009
【図８】
2011109643.tif 000010
【図９】
2011109643.tif 000011
【図１０】
2011109643.tif 000012
【図１１】
2011109643.tif 000013
【図１２】
2011109643.tif 000014
【図１３】
2011109643.tif 000015
【図１４】
2011109643.tif 000016
【図１５】
2011109643.tif 000017
【図１６】
2011109643.tif 000018
【図１７】
2011109643.tif 000019
【図１８】
2011109643.tif 000020
【図１９】
2011109643.tif 000021
【図２０】
2011109643.tif 000022
【図２１】
2011109643.tif 000023
【図２２】
2011109643.tif 000024
【図２３】
2011109643.tif 000025
【図２４】
2011109643.tif 000026
【図２５】
2011109643.tif 000027
【図２６】
2011109643.tif 000028
【図２９】
2011109643.tif 000029
【図３０】
2011109643.tif 000030
【図３１】
2011109643.tif 000031
【図３２】
2011109643.tif 000032
【図３３】
2011109643.tif 000033
【図３４】
2011109643.tif 000034
【図３５】
2011109643.tif 000035
【図３６】
2011109643.tif 000036
【図３７】
2011109643.tif 000037
【図３８】
2011109643.tif 000038
【図３９】
2011109643.tif 000039
【図４０】
2011109643.tif 000040
【図４１】
2011109643.tif 000041
【図４２】
2011109643.tif 000042
【図４３】
2011109643.tif 000043
【図２７】
2011109643.tif 000044
【図２８】
2011109643.tif 000045